(57)【要約】【課題】送信機において送信アンプのバイパス切替え制御を行う移動体通信システムにおいて、バイパス切替え制御が発生した際の受信機における復調性能の劣化を改善する。【解決手段】複数の復調手段と、受信信号を復調処理する復調手段を選択する切替え制御手段と、復調処理済みの受信信号から、前記送信機から通知されたバイパス切替え制御のタイミング制御情報を抽出する切替えタイミング信号抽出手段とを備え、前記切替え制御手段は、前記タイミング制御情報によって特定されたバイパス切替えタイミングにおいて復調処理を行う復調手段を切替える。【選択図】　　図１
2004015078.tif 000002
【特許請求の範囲】
【請求項１】
送信機において送信アンプのバイパス切替え制御を行い信号送信電力を調節する移動体通信システムの受信機であって、
複数の復調手段と、
受信信号を復調処理する復調手段を選択する切替え制御手段と、
復調処理済みの受信信号から、前記送信機から通知されたバイパス切替え制御のタイミング制御情報を抽出する、切替えタイミング信号抽出手段とを備え、
前記切替え制御手段は、前記タイミング制御情報によって特定されたバイパス切替えタイミングにおいて復調処理を行う復調手段を切替える構成とされたことを特徴とする受信機。
【請求項２】
送信機において送信アンプのバイパス切替え制御を行い信号送信電力を調節する移動体通信システムの受信機であって、
複数の復調手段と、
受信信号を復調処理する復調手段を選択する切替え制御手段と、
各復調手段に接続され、前記選択された復調手段から出力された受信信号に基づき前記バイパス切替え制御の発生を検出する、バイパス切替え検出手段とを備え、
前記切替え制御手段は、前記バイパス切替え検出手段の検出結果に基づき復調処理を行う復調手段を切替える構成とされたことを特徴とする受信機。
【請求項３】
バイパス切替え検出手段は、受信信号の振幅値に基づいてバイパス切替え制御の発生を検出する構成とされたことを特徴とする、請求項２に記載の受信機。
【請求項４】
バイパス切替え検出手段は、受信信号の位相値に基づいてバイパス切替え制御の発生を検出する構成とされたことを特徴とする、請求項２に記載の受信機。
【請求項５】
送信機において受信機からの送信電力制御コマンドに基づいて送信アンプのバイパス切替え制御を行い信号送信電力を調節する移動体通信システムの受信機であって、
複数の復調手段と、
受信信号を復調処理する復調手段を選択する切替え制御手段と、
各復調手段に接続され、受信信号の受信品質を測定する受信品質測定手段と、
前記受信品質測定結果に基づいて、前記送信電力制御コマンドを生成する送信電力制御コマンド生成手段と、
前記送信電力制御コマンドの履歴に基づいて、送信機の送信電力を推定する電力推定手段とを備え、
前記切替え制御手段は、前記推定された送信電力に基づいて復調処理を行う復調手段を切替える構成とされたことを特徴とする受信機。
【請求項６】
送信機から送信されたバイパス切替え制御を行う送信電力の目標値を含む制御情報を受信信号から抽出する、切替えフラグ信号抽出手段を更に備え、
切替え制御手段は、前記推定された送信電力と前記目標値とに基づいてバイパス切替え制御の発生を推定し、復調処理を行う復調手段を切替える構成とされたことを特徴とする、請求項５に記載の受信機。
【請求項７】
送信機において送信アンプのバイパス切替え制御を行い信号送信電力を調節する移動体通信システムの受信機であって、
受信信号に含まれる既知のパイロット系列を抽出して送受信機間の伝送路特性を推定する、伝送路推定部と、
前記伝送路推定結果を所定時間に亘り移動平均化処理して当該受信信号の位相偏差を特定する、推定結果平均部と、
前記受信信号の位相偏差を補正する位相補正部とを有する、復調手段と、
前記送信機から通知されたバイパス切替え制御のタイミング制御情報を前記受信信号から抽出する、切替えタイミング信号抽出手段と、
前記タイミング制御情報によって特定されたバイパス切替えタイミングにおいて前記推定結果平均部の移動平均化処理を初期化する切替え制御手段とを備えたことを特徴とする受信機。
【請求項８】
送信機において送信アンプのバイパス切替え制御を行い信号送信電力を調節する拡散変調方式の移動体通信システムの受信機であって、
受信信号から当該受信機宛の拡散変調成分を抽出する、フィルタリング部と、
前記フィルタリング処理後の受信信号を所定時間に亘り平均化処理し、該受信信号の遅延プロファイルを算出する、平均処理部と、
前記遅延プロファイルに基づき、逆拡散復調処理の対象となる有効パスを検出するパス検出部とを有する、復調手段と、
前記送信機から通知されたバイパス切替え制御のタイミング制御情報を前記受信信号から抽出する、切替えタイミング信号抽出手段と、
前記タイミング制御情報によって特定されたバイパス切替えタイミングにおいて前記平均処理部の平均化処理を初期化する切替え制御手段とを備えたことを特徴とする受信機。
【請求項９】
送信機において送信アンプのバイパス切替え制御を行い信号送信電力を調節する移動体通信システムの受信機であって、
受信信号に含まれる既知のパイロット系列を抽出して送受信機間の伝送路特性を推定する、伝送路推定部と、
前記伝送路推定結果を所定時間に亘り移動平均化処理して当該受信信号の位相偏差を特定する、推定結果平均部と、
前記受信信号の位相偏差を補正する位相補正部とを有する、復調手段と、
前記送信機から通知されたバイパス切替え制御のタイミング制御情報を前記受信信号から抽出する、切替えタイミング信号抽出手段と、
前記タイミング制御情報によって特定されたバイパス切替えタイミングより後または前に受信されるパイロット系列を有効パイロット系列部分として特定する、パイロット抽出制御手段とを備え、
前記伝送路推定部は、前記バイパス切替えタイミングにおいて有効パイロット系列部分に基づき伝送路特性を推定する構成とされたことを特徴とする受信機。
【請求項１０】
パイロット抽出制御手段は、受信信号のフォーマットを予め記憶し、タイミング制御情報によって特定されたバイパス切替えタイミングがパイロット系列に該当するか否かを判定し、
バイパス切替えタイミングがパイロット系列に該当する場合には、前記バイパス切替えタイミングより後または前に受信されるパイロット系列を有効パイロット系列部分として特定する構成とされたことを特徴とする、請求項９に記載の受信機。
【請求項１１】
送信機において送信アンプのバイパス切替え制御を行い信号送信電力を調節する移動体通信システムの受信機であって、
受信信号を復調処理する復調手段と、
復調処理済みの受信信号を誤り訂正処理する復号手段と、
前記復調処理済みの受信信号から、前記送信機から通知されたバイパス切替え制御のタイミング制御情報を抽出する、切替えタイミング信号抽出手段と、
前記タイミング制御情報によって特定されたバイパス切替えタイミングにおいて、復調処理済みの受信信号を所定のダミーデータに切替え、前記復号手段に出力する切替え制御手段とを備える受信機。
【請求項１２】
送信信号を所定周波数の無線信号に周波数変換処理する、送信信号処理手段と、
前記無線信号を所定増幅率で増幅して出力する送信アンプと、
前記無線信号を増幅せずに出力するバイパス経路と、
前記無線信号の送信電力の目標値に基づいて、前記無線信号の入力先を前記送信アンプ又は前記バイパス経路に切替える送信電力制御手段と、
前記送信電力制御手段の切替え指示に従い、送信アンプ使用時とバイパス経路使用時の無線信号の位相を測定して位相差を算出する、位相差測定手段と、
前記位相差に基づいて送信信号の位相を補正する、位相補正手段とを備えた送信機。
【請求項１３】
送信信号を所定周波数の無線信号に周波数変換処理する、送信信号処理手段と、
前記無線信号を所定増幅率で増幅して出力する送信アンプと、
前記無線信号を増幅せずに出力するバイパス経路と、
前記無線信号の送信電力の目標値に基づいて、前記無線信号の入力先を前記送信アンプ又は前記バイパス経路に切替えるとともに、送信アンプ使用時とバイパス経路使用時の無線信号の位相差の測定を指示する制御情報を生成して前記無線信号の受信機に送信する、送信電力制御手段と、
前記受信機によって測定された位相差に基づいて送信信号の位相を補正する、位相補正手段とを備えた送信機。
【請求項１４】
送信機において送信アンプのバイパス切替え制御を行い信号送信電力を調節する移動体通信システムの受信機であって、
位相差測定を指示する前記送信機から制御情報に基づいて、送信アンプ使用時とバイパス経路使用時の無線信号の位相差を測定し、当該位相差を特定する制御情報を前記送信機に通知する、位相差測定手段を備えた受信機。
【請求項１５】
請求項１３に記載の送信機と請求項１４に記載の受信機とを備えた移動体通信システム。
【発明の詳細な説明】
【０００１】
【発明の属する技術分野】
本発明は、移動体通信システムの送受信機に関するものであり、特に、送信機側において送信アンプを切替えて送信電力を調節する移動体通信システム及びその送受信機に関するものである。
【０００２】
【従来の技術】
図１６は特開平１１−２７４９４８号公報に開示された、従来の移動体通信システムの送信機及び受信機の構成図である。
【０００３】
送信機において、データチャネル符号化部５００は送信信号を符号化処理し、ベースバンド変調部５０１は符号化済みの送信信号を所定の変調方式により変調処理する。なお以下では、ベースバンド変調部５０１はＣＤＭＡ方式により送信信号を変調処理する場合について説明する。
【０００４】
変調処理後の送信信号は、デジタル−アナログ変換部（Ｄ／Ａ）５０２によってアナログ信号に変換された後、送信ＩＦ／ＲＦ信号処理部５０３により所定の搬送波周波数の無線信号に変換されるとともに、所定の送信電力に増幅される。
【０００５】
ここで送信電力制御部５０４は、ＣＤＭＡ方式の移動体通信システムで生じる遠近問題を回避するために、送信ＩＦ／ＲＦ信号処理部５０３における無線信号の増幅率を切替えて無線信号の送信電力を制御する。
【０００６】
また送信電力制御部５０４には、バイパス切替えスイッチ５０５を切替え制御するための送信電力の閾値が保存されている。
【０００７】
送信電力制御部５０４は、無線信号の送信電力の目標値と前記閾値とを逐次比較して、送信電力の目標値が前記閾値以上である場合には、無線信号を送信アンプ５０６に対して出力するようバイパス切替えスイッチ５０５を制御する。無線信号は送信アンプ５０６によって増幅処理された後に、送信アンテナから受信機に対して無線伝送される。
【０００８】
一方、送信電力の目標値が前記閾値より小さい場合には、無線信号をバイパス経路５０７に対して出力するようバイパス切替えスイッチ５０５を制御する。無線信号は送信アンプ５０６によって増幅処理されずに、直接送信アンテナから受信機に対して無線伝送される。
【０００９】
図１７は、送信機から送信された無線信号の変動の様子を示した模式図である。図１７に示す通り、バイパス切替えスイッチ５０５がバイパス経路５０７側から送信アンプ５０６側に切り替わると、増幅率の変動により無線信号の振幅がＶａからＶｂに変動する。この際、バイパス切替えスイッチ５０５の切替えタイミングにおいて、スイッチ切替え時間Δｔ（約２〜２５μｓｅｃ程度）に亘り信号振幅がＶｃとなる切替え変動が発生する。
【００１０】
また前記無線信号の信号位相は、送信アンプ５０６で付加される増幅処理遅延の影響によりφａからφｂに変動する。
【００１１】
一方、バイパス切替えスイッチ５０５が送信アンプ５０６側からバイパス経路５０７側に切替えられた場合にも、上記と同様に無線信号の振幅と位相が不連続に変動する。
【００１２】
次に、受信機において受信ＲＦ／ＩＦ信号処理部１は、受信アンテナから入力された無線信号を周波数変換処理するとともに、所定の信号電力に増幅処理してベースバンドの受信信号を出力する。アナログ−デジタル変換器（Ａ／Ｄ）２は受信信号をデジタル信号に変換する。
【００１３】
ベースバンド復調部４は、前記受信信号に含まれる既知のパイロット系列に基づいて伝送路特性を推定するとともに、該受信信号の位相偏差を検出する。ベースバンド復調部４は、前記伝送路特性と位相偏差に基づいて受信信号をＣＤＭＡ方式により復調処理する。
【００１４】
データチャネル復号部８は、復調処理済みの受信信号を所定の復号方法により誤り訂正処理して受信データを出力する。
【００１５】
以上の通り従来の移動体通信システムの送信機では、送信電力の目標値が所定の閾値未満である場合には、送信アンプ５０６による増幅処理を行わず、バイパス経路５０７を介して無線信号を直接送出することにより、送信アンプ５０６の消費電力を低減することができる。
【発明が解決しようとする課題】
【００１６】
前記従来の移動体通信システムでは、送信機において送信電力制御を行うためにバイパス切替えスイッチの切替え制御が発生すると、無線信号の振幅と位相が不連続に変動する。
【００１７】
一方、受信器のベースバンド復調部は、受信信号より算出された前記伝送路特性と位相偏差に基づいて受信信号をＣＤＭＡ方式により復調処理する。
【００１８】
従って、受信機のベースバンド復調部において復調処理が開始された後に、送信機においてバイパス切替え制御が発生すると、受信信号の特性が不連続に変化して、復調特性が急激に劣化するという課題があった。
【００１９】
また前記バイパス切替え制御は、送信機の消費電力削減の目的で、例えばユーザ指示やバッテリー管理部からの割り込み等に基づき、任意のタイミングでも発生する可能性があるが、この場合にも復調性能が劣化するという課題があった。
【００２０】
本発明は、前記課題を解決するためになされたものであり、送信機において送信アンプのバイパス切替え制御を行う移動体通信システムにおいて、バイパス切替え制御が発生した際の受信機における復調性能の劣化を改善することを目的とする。
【課題を解決するための手段】
【００２１】
前記の課題を解決し、目的を達成するために、本発明にかかる移動体通信システムの受信機にあっては、送信機において送信アンプのバイパス切替え制御を行い信号送信電力を調節する移動体通信システムの受信機であって、複数の復調手段と、受信信号を復調処理する復調手段を選択する切替え制御手段と、復調処理済みの受信信号から、前記送信機から通知されたバイパス切替え制御のタイミング制御情報を抽出する切替えタイミング信号抽出手段とを備え、前記切替え制御手段は、前記タイミング制御情報によって特定されたバイパス切替えタイミングにおいて復調処理を行う復調手段を切替える構成とされる。
【００２２】
次の発明にかかる受信機にあっては、送信機において送信アンプのバイパス切替え制御を行い信号送信電力を調節する移動体通信システムの受信機であって、複数の復調手段と、受信信号を復調処理する復調手段を選択する切替え制御手段と、各復調手段に接続され、前記選択された復調手段から出力された受信信号に基づき前記バイパス切替え制御の発生を検出するバイパス切替え検出手段とを備え、前記切替え制御手段は、前記バイパス切替え検出手段の検出結果に基づき復調処理を行う復調手段を切替える構成とされる。
【００２３】
次の発明にかかる受信機にあっては、バイパス切替え検出手段は、受信信号の振幅値に基づいてバイパス切替え制御の発生を検出する構成とされる。
【００２４】
次の発明にかかる受信機にあっては、バイパス切替え検出手段は、受信信号の位相値に基づいてバイパス切替え制御の発生を検出する構成とされる。
【００２５】
次の発明にかかる受信機にあっては、送信機において受信機からの送信電力制御コマンドに基づいて送信アンプのバイパス切替え制御を行い信号送信電力を調節する移動体通信システムの受信機であって、複数の復調手段と、受信信号を復調処理する復調手段を選択する切替え制御手段と、各復調手段に接続され、受信信号の受信品質を測定する受信品質測定手段と、前記受信品質測定結果に基づいて、前記送信電力制御コマンドを生成する送信電力制御コマンド生成手段と、前記送信電力制御コマンドの履歴に基づいて、送信機の送信電力を推定する電力推定手段とを備え、前記切替え制御手段は、前記推定された送信電力に基づいて復調処理を行う復調手段を切替える構成とされる。
【００２６】
次の発明にかかる受信機にあっては、送信機から送信されたバイパス切替え制御を行う送信電力の目標値を含む制御情報を受信信号から抽出する切替えフラグ信号抽出手段を更に備え、切替え制御手段は、前記推定された送信電力と前記目標値とに基づいてバイパス切替え制御の発生を推定し、復調処理を行う復調手段を切替える構成とされる。
【００２７】
次の発明にかかる受信機にあっては、送信機において送信アンプのバイパス切替え制御を行い信号送信電力を調節する移動体通信システムの受信機であって、受信信号に含まれる既知のパイロット系列を抽出して送受信機間の伝送路特性を推定する伝送路推定部と、前記伝送路推定結果を所定時間に亘り移動平均化処理して当該受信信号の位相偏差を特定する推定結果平均部と、前記受信信号の位相偏差を補正する位相補正部とを有する復調手段と、前記送信機から通知されたバイパス切替え制御のタイミング制御情報を前記受信信号から抽出する切替えタイミング信号抽出手段と、前記タイミング制御情報によって特定されたバイパス切替えタイミングにおいて前記推定結果平均部の移動平均化処理を初期化する切替え制御手段とを備える。
【００２８】
次の発明にかかる受信機にあっては、送信機において送信アンプのバイパス切替え制御を行い信号送信電力を調節する拡散変調方式の移動体通信システムの受信機であって、受信信号から当該受信機宛の拡散変調成分を抽出するフィルタリング部と、前記フィルタリング処理後の受信信号を所定時間に亘り平均化処理し、該受信信号の遅延プロファイルを算出する平均処理部と、前記遅延プロファイルに基づき、逆拡散復調処理の対象となる有効パスを検出するパス検出部とを有する復調手段と、前記送信機から通知されたバイパス切替え制御のタイミング制御情報を前記受信信号から抽出する切替えタイミング信号抽出手段と、前記タイミング制御情報によって特定されたバイパス切替えタイミングにおいて前記平均処理部の平均化処理を初期化する切替え制御手段とを備える。
【００２９】
次の発明にかかる受信機にあっては、送信機において送信アンプのバイパス切替え制御を行い信号送信電力を調節する移動体通信システムの受信機であって、受信信号に含まれる既知のパイロット系列を抽出して送受信機間の伝送路特性を推定する伝送路推定部と、前記伝送路推定結果を所定時間に亘り移動平均化処理して当該受信信号の位相偏差を特定する推定結果平均部と、前記受信信号の位相偏差を補正する位相補正部とを有する復調手段と、前記送信機から通知されたバイパス切替え制御のタイミング制御情報を前記受信信号から抽出する切替えタイミング信号抽出手段と、前記タイミング制御情報によって特定されたバイパス切替えタイミングより後または前に受信されるパイロット系列を有効パイロット系列部分として特定するパイロット抽出制御手段とを備え、前記伝送路推定部は、前記バイパス切替えタイミングにおいて有効パイロット系列部分に基づき伝送路特性を推定する構成とされる。
【００３０】
次の発明にかかる受信機にあっては、パイロット抽出制御手段は、受信信号のフォーマットを予め記憶し、タイミング制御情報によって特定されたバイパス切替えタイミングがパイロット系列に該当するか否かを判定し、バイパス切替えタイミングがパイロット系列に該当する場合には、前記バイパス切替えタイミングより後または前に受信されるパイロット系列を有効パイロット系列部分として特定する構成とされる。
【００３１】
次の発明にかかる受信機にあっては、送信機において送信アンプのバイパス切替え制御を行い信号送信電力を調節する移動体通信システムの受信機であって、受信信号を復調処理する復調手段と、復調処理済みの受信信号を誤り訂正処理する復号手段と、前記復調処理済みの受信信号から、前記送信機から通知されたバイパス切替え制御のタイミング制御情報を抽出する切替えタイミング信号抽出手段と、前記タイミング制御情報によって特定されたバイパス切替えタイミングにおいて、復調処理済みの受信信号を所定のダミーデータに切替え、前記復号手段に出力する切替え制御手段とを備える。
【００３２】
次の発明にかかる送信機にあっては、送信信号を所定周波数の無線信号に周波数変換処理する送信信号処理手段と、前記無線信号を所定増幅率で増幅して出力する送信アンプと、前記無線信号を増幅せずに出力するバイパス経路と、前記無線信号の送信電力の目標値に基づいて、前記無線信号の入力先を前記送信アンプ又は前記バイパス経路に切替える送信電力制御手段と、前記送信電力制御手段の切替え指示に従い、送信アンプ使用時とバイパス経路使用時の無線信号の位相を測定して位相差を算出する位相差測定手段と、前記位相差に基づいて送信信号の位相を補正する位相補正手段とを備える。
【００３３】
次の発明にかかる送信機にあっては、送信信号を所定周波数の無線信号に周波数変換処理する、送信信号処理手段と、前記無線信号を所定増幅率で増幅して出力する送信アンプと、前記無線信号を増幅せずに出力するバイパス経路と、前記無線信号の送信電力の目標値に基づいて、前記無線信号の入力先を前記送信アンプ又は前記バイパス経路に切替えるとともに、送信アンプ使用時とバイパス経路使用時の無線信号の位相差の測定を指示する制御情報を生成して前記無線信号の受信機に送信する送信電力制御手段と、前記受信機によって測定された位相差に基づいて送信信号の位相を補正する、位相補正手段とを備える。
【００３４】
次の発明にかかる受信機にあっては、送信機において送信アンプのバイパス切替え制御を行い信号送信電力を調節する移動体通信システムの受信機であって、位相差測定を指示する前記送信機から制御情報に基づいて、送信アンプ使用時とバイパス経路使用時の無線信号の位相差を測定し、当該位相差を特定する制御情報を前記送信機に通知する位相差測定手段を備える。
【００３５】
次の発明にかかる移動体通信システムにあっては、上記段落［００３３］に記載の送信機と上記段落［００３４］に記載の受信機とを備える。
【００３６】
【発明の実施の形態】
実施の形態１．
図１は、本実施の形態１の移動体通信システムの受信機の構成図である。図１において、１は搬送波周波数の無線信号を受信アンテナから入力し、ベースバンドの受信信号に周波数変換処理する受信ＲＦ／ＩＦ信号処理部、２はアナログの受信信号をデジタル信号に変換するＡ／Ｄ、４ａ及び４ｂはそれぞれ受信信号をＣＤＭＡ方式で復調処理するベースバンド復調部、８は復調処理済みの受信信号のデータチャネルを復号処理するデータチャネル復号部である。
【００３７】
また、３は受信信号を復調処理するベースバンド復調部４ａ、４ｂを選択して切替える入力切替スイッチ、５は復調処理を行ったベースバンド復調部の出力信号を選択する出力切替えスイッチ、６は送信機によって受信信号に含められたバイパス切替えタイミングに関する制御情報（以下、「タイミング制御情報」と呼ぶ）を抽出する切替えタイミング信号抽出部、７はタイミング制御情報に基づき入力切替スイッチ３及び出力切替スイッチ５を切替制御する切替え制御部である。
【００３８】
図２は本実施の形態１の移動体通信システムの送信機の構成図である。図２において、５００は送信信号を符号化するデータチャネル符号化部、５０１は符号化済みの送信信号に前記タイミング制御情報を含め、ＣＤＭＡ方式で変調処理を行うベースバンド変調部、５０２は変調処理済みの送信信号をアナログ信号に変換するＤ／Ａ、５０３は送信信号を周波数変換処理するとともに所望の送信電力に増幅処理する送信ＩＦ／ＲＦ信号処理部、５０４は送信ＩＦ／ＲＦ信号処理部５０３及びバイパス切替えスイッチ５０５の切替え制御を行い、前記受信局との間で無線信号の送信電力制御を行う送信電力制御部、５０６は無線信号を増幅処理して送信アンテナに出力する送信アンプ、５０７は前記無線信号を増幅処理せずに送信アンテナに直接出力するためのバイパス経路である。
【００３９】
次に、本実施の形態１の移動体通信システムの動作について説明する。
まず、送信機においてデータチャネル符号化部５００は送信信号を符号化処理する。符号化済みの送信信号は、例えば図３に示すフレーム構成を有し、各スロット毎にユーザデータを伝送するための「データチャネル」と、既知のパイロット系列、送信制御情報、送信電力制御コマンドなどの制御情報を伝送するための「制御チャネル」とが多重化されているものとする。
【００４０】
一方、送信電力制御部５０４は、当該送信機が無線信号のバイパス切替え制御を行う機能を有し、通信中にバイパス切替え制御が発生する可能性があることを示す「バイパス切替え制御要求」の制御情報を出力する。
【００４１】
ベースバンド変調部５０１は、前記符号化済みの送信信号が送信されるデータチャネルに「バイパス切替え制御要求」の制御情報を挿入し、該多重化後の送信信号をＣＤＭＡ方式によって変調処理する。
【００４２】
変調処理後の送信信号は、デジタル−アナログ変換部（Ｄ／Ａ）５０２によってアナログ信号に変換された後、送信ＩＦ／ＲＦ信号処理部５０３により所定の搬送波周波数の無線信号に周波数変換処理されるとともに、所定の送信電力に増幅される。
【００４３】
ここで送信電力制御部５０４は、ＣＤＭＡ方式の移動体通信システムで生じる遠近問題を回避するために、送信ＩＦ／ＲＦ信号処理部５０３における無線信号の増幅率を切替えて、無線信号の送信電力を制御する。
【００４４】
送信電力制御部５０４には、バイパス切替えスイッチ５０５を切替え制御するための送信電力の閾値が保存されており、無線信号の送信電力の目標値と前記閾値とを逐次比較する。
【００４５】
その結果、送信電力の目標値が前記閾値未満である（バイパス経路５０７使用中）状態において、送信電力の目標値が増大し前記閾値以上となった場合には、送信電力制御部５０４は、バイパス経路５０７から送信アンプ５０６への切替え制御（以下ＯＦＦ／ＯＮ制御）を行うことを決定し、バイパス切替え制御を行うタイミングを決定する。
【００４６】
例えば、前述の図３に示す送信フレームの第３スロットを送信中である場合には、次の第４スロットの送信完了タイミング（第５番目スロットの送信開始タイミング）で前記ＯＦＦ／ＯＮ制御を行うことを決定する。
【００４７】
送信電力制御部５０４は、前記バイパス切替え制御タイミングを特定するタイミング制御情報を生成して前記ベースバンド変調部５０１に出力する。
当該タイミング制御情報は、ベースバンド変調部５０１によって前記符号化済みの送信信号に挿入され、通常の送信信号と同様にＣＤＭＡ方式によって変調処理され、送信ＩＦ／ＲＦ信号処理部によって無線信号に変換された後に、受信機に対して無線伝送される。
【００４８】
バイパス切替え制御タイミングに到達すると、送信電力制御部５０４は送信ＩＦ／ＲＦ信号処理部に無線信号の増幅率の切替えを指示するとともに、バイパス切替えスイッチ５０５に対して切替え指示を送信し、無線信号を送信アンプ５０６に入力させる。以降、当該無線信号は送信アンプ５０６によって増幅処理された後に、送信アンテナから受信機に対して無線伝送される。
【００４９】
一方、当該送信電力の目標値が前記閾値以上である（送信アンプ５０６使用中）状態において、送信電力の目標値が減少し前記閾値未満となった場合には、送信電力制御部５０４は、送信アンプ５０６からバイパス経路５０７への切替え制御（以下ＯＮ／ＯＦＦ制御）を行うことを決定するとともに、バイパス切替え制御タイミングを決定してタイミング制御情報を生成し、ベースバンド変調部５０１、Ｄ／Ａ５０２、送信ＩＦ／ＲＦ信号処理部５０３を介して送信ＩＦ受信機に対して無線伝送する。
【００５０】
前記バイパス切替え制御タイミングに到達すると、送信電力制御部５０４は送信ＩＦ／ＲＦ信号処理部に無線信号の増幅率の切替えを指示するとともに、バイパス切替えスイッチ５０５に対して切替え指示を送信し、無線信号をバイパス経路５０７に入力させる。以降、無線信号は送信アンプ５０６によって増幅処理されずに、直接送信アンテナから受信機に対して無線伝送される。
【００５１】
次に、受信機において受信ＲＦ／ＩＦ信号処理部１は、受信アンテナから入力された無線信号を周波数変換処理するとともに、所定の信号電力に増幅処理してベースバンドの受信信号を出力する。アナログ−デジタル変換器（Ａ／Ｄ）２は受信信号をデジタル信号に変換する。
【００５２】
切替え制御部７は、前記送信機との通信開始状態において、入力切替スイッチ４及び出力切替えスイッチ５をベースバンド復調部４ａの側に切替え、前記受信信号がベースバンド復調部４ａによって復調処理されるよう制御する。
【００５３】
ベースバンド復調部４ａは、受信信号に含まれる前記パイロット系列に基づいて伝送路特性を推定するとともに、該受信信号の位相偏差を検出する。ベースバンド復調部４は、伝送路特性と位相偏差に基づいて受信信号をＣＤＭＡ方式により復調処理する。
【００５４】
切替えタイミング信号抽出部６は復調処理済みの受信信号を入力し、当該受信信号に挿入されたバイパス切替え制御に関する制御情報を抽出する。
【００５５】
まず切替えタイミング信号抽出部６は、前記「バイパス切替え制御要求」の制御情報を抽出して切替え制御部７に通知する。切替え制御部７は当該通知により、通信中の送信機がバイパス切替え制御機能を有し、通信中にバイパス切替え制御が発生する可能性があることを検出する。
【００５６】
次に切替えタイミング信号抽出部６は、タイミング制御信号を抽出して切替え制御部７に通知する。切替え制御部７は当該通知に従って、次にバイパス切替え制御が発生するバイパス切替えタイミングを検出する。
【００５７】
バイパス切替えタイミング（前述の例では第４スロットの送信完了タイミング）に到達すると、切替え制御部７は入力切替スイッチ４及び出力切替えスイッチ５をベースバンド復調部４ｂの側に切替え、以降受信信号がベースバンド復調部４ｂによって復調処理されるよう制御する。
【００５８】
ベースバンド復調部４ｂは、前記ベースバンド復調部４ａと同様に、パイロット系列に基づいて伝送路推定と位相偏差検出を行い、受信信号をＣＤＭＡ方式により復調処理する。一方、ベースバンド復調部４ａは受信信号の復調処理を停止する。
【００５９】
これ以降同様に、切替えタイミング信号抽出部７は切替えタイミング信号抽出部６からタイミング制御信号が通知される毎に入力切替スイッチ４及び出力切替えスイッチ５の切替え制御を行う。
【００６０】
データチャネル復号部８は、出力切替えスイッチ５から出力された復調処理済みの受信信号を所定の復号方法により誤り訂正処理して、受信データを出力する。
【００６１】
以上の通り本実施の形態１の移動体通信システムでは、送信機において送信アンプのバイパス切替え制御が発生するタイミングを決定し、当該タイミングを特定するタイミング制御情報を送信信号に挿入して受信機に送信し、受信機において、前記タイミング制御情報に基づいて複数のベースバンド復調部を切替え、それぞれ対応するベースバンド復調部で受信信号の復調処理を行うような構成としたことにより、バイパス切替え制御により受信信号の振幅及び位相が不連続に変動する場合であっても、受信機の復調性能の劣化を低減することができる。
【００６２】
なお本実施の形態１においてベースバンド変調部５０１は、バイパス切替え制御要求の制御情報及びタイミング制御情報をデータチャネルに挿入して受信機に送信したが、これはこのような構成に限られるものではなく、制御チャネルや前記図３に図示されていない他のチャネルに挿入したり、データチャネル及び制御チャネルや他のチャネルに符号拡散多重化して受信機に送信する様な構成であっても、同様の効果を得ることは当然可能である。
【００６３】
またベースバンド変調部５０１は、符号化済みの送信信号にバイパス切替え制御要求の制御情報及びタイミング制御情報を挿入したが、送信信号にバイパス切替え制御要求の制御情報及びタイミング制御情報を挿入した後に、符号化処理を行うような構成であってもよい。
【００６４】
実施の形態２．
上記実施の形態１では、送信機においてバイパス切替えタイミングを特定するタイミング制御情報を送信信号に挿入し、受信機において前記タイミング制御情報に基づいて複数のベースバンド復調部を切替えたが、本実施の形態２の移動体通信システムでは、受信機においてバイパス切替えタイミングを特定してベースバンド復調部の切替え制御を行う。
なお、本実施の形態２は、前記実施の形態１とは受信機においてバイパス切替えタイミングを特定してベースバンド復調部の切替え制御を行う点が異なり、その他の構成は同様であるので、同一の構成については同一の符号を付して説明を省略する。
【００６５】
図４は、本実施の形態２の移動体通信システムにおける受信機の構成図である。図４において、１０ａ及び１０ｂは受信信号の振幅の不連続な変動を検出するレベル変動検出部、１１は無線信号に挿入された「バイパス切替え制御要求」の制御情報を抽出する切替えフラグ信号抽出部である。
【００６６】
次に、本実施の形態２の移動体通信システムのバイパス切替え制御について説明する。
まず、送信機との通信開始状態において、ベースバンド復調部４ａは切替え制御部７からの指示に従い、Ａ／Ｄ２から出力された受信信号を復調処理する。
【００６７】
切替えフラグ信号抽出部１１は、送信電力制御部５０４（図２参照）から出力され当該受信機に伝送された「バイパス切替え制御要求」の制御情報を、復調処理済みの受信信号から抽出して切替え制御部７に通知する。切替え制御部７は当該通知により、通信中の送信機がバイパス切替え制御機能を有し、通信中にバイパス切替え制御が発生する可能性があることを検出する。
【００６８】
前記送信機と通信中状態において、ベースバンド復調部４ａは受信信号の振幅を予め設定された測定時間間隔で順次測定し、対応するレベル変動検出部１０ａに出力する。
【００６９】
ここで、前述の図１７に示す通り送信アンプのバイパス切替え制御が発生する前後において、受信信号の振幅は不連続に変動する。本実施の形態２では、レベル変動検出部１０ａにおいて受信信号の振幅の不連続な変動を検出することにより、送信機におけるバイパス切替え制御の発生を検出する。
【００７０】
レベル変動検出部１０ａには、予め定められた保持時間に亘って前記振幅測定値をを保存する観測バッファが備えられている。またレベル変動検出部１０ａには、受信信号の振幅の不連続な変動を検出するために、振幅変動の許容閾値が保存されている。
【００７１】
レベル変動検出部１０ａは、前記ベースバンド復調部４ａから出力された前記振幅測定値を観測バッファに順次保持するとともに、当該観測バッファに蓄積された振幅観測定値の平均値を順次算出する。
【００７２】
ベースバンド復調部４ａから新たに受信信号の振幅測定値が入力されると、レベル変動検出部１０ａは、当該振幅測定値と既に算出済みの平均値との差分を算出し、その絶対値を振幅変動量とする。レベル変動検出部１０ａは、振幅変動量が前記振幅変動の許容閾値以上であるか判定し、振幅変動量が許容閾値以上である場合には、送信機においてバイパス切替え制御が発生したと判定する。
【００７３】
なお、ベースバンド復調部４ａによる受信信号の振幅の測定時間間隔、レベル変動検出部１０ａの観測バッファおける振幅測定値の保持時間、及び振幅変動の許容閾値は、予備的な実験や計算機シミュレーションに基づき、適切な値が予め設定されるものとする。
【００７４】
切替え制御部７は、レベル変動検出部１０ａよりバイパス切替え制御発生の判定結果の通知を受けた場合には、切替え制御部７は入力切替スイッチ４及び出力切替えスイッチ５をベースバンド復調部４ｂの側に切替え、以降受信信号がベースバンド復調部４ｂによって復調処理されるよう制御する。一方、ベースバンド復調部４ａは受信信号の復調処理を停止する。
【００７５】
ベースバンド復調部４ｂにより受信信号の復調処理が行われている状態において、レベル変動検出部１０ｂは前記レベル変動検出部１０ａと同様の方法により、振幅測定値の不連続な変動を検出することにより、送信機のバイパス切替え制御の発生を判定する。
【００７６】
レベル変動検出１０ｂによりバイパス切替え制御が発生したと判定された場合には、切替え制御部７は入力切替スイッチ４及び出力切替えスイッチ５をベースバンド復調部４ａの側に切替え、以降受信信号がベースバンド復調部４ａによって復調処理されるよう制御する。一方、ベースバンド復調部４ｂは受信信号の復調処理を停止する。
【００７７】
以上の通り本実施の形態２の移動体通信システムでは、受信機において受信信号の振幅測定値の不連続な変動を検出することにより、送信機によるバイパス切替え制御の発生を判定し、当該判定結果に基づいて複数のベースバンド復調部を切替え、それぞれ対応するベースバンド復調部で受信信号の復調処理を行うような構成としたことにより、バイパス切替え制御により受信信号の振幅及び位相が不連続に変動する場合であっても、受信機の復調性能の劣化を低減することができる。
【００７８】
なお本実施の形態２において、レベル変動検出部１０ａ、１０ｂは、ベースバンド復調部４ａ、４ｂから出力された受信信号の振幅測定値に基づいて、バイパス切替え制御の発生を判定したが、これはこのような方法に限定されるものではない。
例えば図５に示すように、レベル変動検出部１０ａ、１０ｂに代えて受信信号の位相の変動を検出する位相変動検出部１５ａ、１５ｂを備える構成としてもよい。このような構成において、ベースバンド復調部４ａ、４ｂは受信信号に含まれるパイロット系列に基づいて受信信号の位相を順次測定し、位相変動検出部１５ａ、１５ｂは、前記レベル変動検出部１０ａ、１０ｂと同様の方法により位相測定値の不連続な変動を検出してバイパス切替え制御の発生を判定する。
【００７９】
また、各ベースバンド４ａ、４ｂにそれぞれ対応する位相変動検出部１５ａ、１５ｂ及びレベル変動検出部１０ａ、１０ｂを設け、切替え制御部７において振幅測定値及び位相測定値の両方の判定結果に基づいてバイパス切替え制御の発生を判定するような構成であってもよい。
【００８０】
実施の形態３．
前記実施の形態２では、受信機において受信信号の振幅の不連続な変動を検出し、これに基づいてバイパス切替え制御の発生を判定したが、本実施の形態３では、送信機−受信機間で行われる送信電力制御に関する制御情報に基づいて、バイパス切替え制御の発生を推定し、ベースバンド復調部の切替え制御を行う。
なお、本実施の形態３は、前記実施の形態２とは送信電力制御に関する制御情報に基づいて、バイパス切替え制御の発生を推定し、ベースバンド復調部の切替え制御を行う点が異なるものであり、その他の構成は同一であるので、同一の構成については同一の符号を付して説明を省略する。
【００８１】
図６は本実施の形態３の移動体通信システムの受信機の構成図である。図６において、２０ａ及び２０ｂは受信信号の信号対干渉比（ＳＩＲ）を測定するＳＩＲ測定部、２１はＳＩＲ測定値を切替えるＳＩＲ切替えスイッチ、２２はＳＩＲ測定値に基づき送信機に対する送信電力制御コマンドを生成する送信電力制御コマンド生成部、２３は送信機に送信済みの送信電力制御コマンドに基づいて受信信号の電力変動を推定する電力推定部である。
【００８２】
次に、本実施の形態３の移動体通信システムにおけるバイパス切替え制御について説明する。
本実施の形態３の移動体通信システムでは、受信機において無線信号の受信品質を評価し、当該評価結果に基づいて送信電力の増大／減少を指示する「送信電力制御コマンド」を生成し、送信機に対して送信する。送信機では、当該送信電力制御コマンドに基づいて送信電力を制御することにより、ＣＤＭＡ方式の移動体通信システムで生じる遠近問題を回避して該移動体通信システム全体の通信機収容能力を高めるとともに、送信機の消費電力の削減を図る。
【００８３】
送信機（図２参照）との通信開始状態において、入力切替スイッチ３、出力切替えスイッチ５、及びＳＩＲ切替えスイッチ２１を、ベースバンド復調部４ａ側に切替え制御し、ベースバンド復調部４ａはＡ／Ｄ２から出力された受信信号を復調処理する。
【００８４】
切替えフラグ信号抽出部１１は、送信電力制御部５０４から出力され当該受信機に伝送された「バイパス切替え制御要求」の制御情報を、復調処理済みの受信信号から抽出して切替え制御部７に通知する。
【００８５】
また送信機には、送信電力の規定値Ｖｄｅｆと制御ステップΔＶ、及び送信アンプのＯＦＦ／ＯＮ制御を行う送信電力の目標値ＶＯＮと、ＯＮ／ＯＦＦ制御を行う送信電力の目標値ＶＯＦＦとが予め設定されている。送信機は前記「バイパス切替え制御要求」の制御情報に規定値Ｖｄｅｆと制御ステップΔＶ、及び目標値ＶＯＮ、ＶＯＦＦを含めて受信機に送信する。
【００８６】
切替え制御部７は「バイパス切替え制御要求」の制御情報により、通信中の送信機がバイパス切替え制御機能を有することを検出するとともに、送信電力の規定値Ｖｄｅｆと制御ステップΔＶ、及び前記目標値ＶＯＮ、ＶＯＦＦを記憶する。
【００８７】
ＳＩＲ推定部２０ａ、２０ｂには、干渉成分が無い理想的な状態で受信された場合のパイロット系列の雛形が予め保存されている。
送信機−受信機間で通信が開始されると、ベースバンド復調部４ａに対応するＳＩＲ推定部２０ａは、受信信号からパイロット系列に相当する部分を抽出するとともに、当該パイロット系列から前記雛形と一致する有意な信号成分の電力値と、伝送路上で受信信号に付加された干渉成分の電力値とを別個に算出して、当該受信信号のＳＩＲを算出する。
【００８８】
ＳＩＲ切替えスイッチ２１は、ＳＩＲ測定部２０ａのＳＩＲ測定値を送信電力制御コマンド生成部２２に出力する。
【００８９】
送信電力制御コマンド生成部２２には、送信機側に対して送信電力の増加を指示するか否かを判定するための受信信号のＳＩＲの閾値が設定されており、前記ＳＩＲ測定２０ａのＳＩＲ測定値と当該閾値とを比較する。
【００９０】
その結果、ＳＩＲ測定値が前記閾値未満である場合には、送信電力制御コマンド生成部２２は「送信電力増加」を指示する送信電力制御制御コマンドを生成する。
一方、ＳＩＲ測定値が前記閾値以上である場合には、送信電力制御コマンド生成部２２は「送信電力減少」を指示する送信電力制御制御コマンドを生成する。
【００９１】
前記送信電力制御コマンドは、当該受信機が有する変調部（図６に図示せず）によって変調処理され、前記送信機側に伝送される。
【００９２】
送信機では、復調部（図２に図示せず）において送信電力制御コマンドを復調処理して送信電力制御部５０４に通知する。送信電力制御部５０４は、送信電力制御コマンドに基づいて送信電力を制御する。
【００９３】
図７は、送信電力制御部５０４における送信電力の目標値の更新の例を示した説明図である。送信電力制御部５０４は、前記送信電力制御制御コマンドに基づいて送信ＩＦ／ＲＦ信号処理部５０３の送信電力の増幅率を制御して、制御ステップΔＶだけ送信電力を増減させる。
【００９４】
また、送信電力制御部５０４は、送信電力が前記目標値ＶＯＦＦ以上から目標値ＶＯＦＦ未満に変動した場合には、前記バイパス切替えスイッチ５０５をＯＮ／ＯＦＦ制御して、無線信号がバイパス経路５０７を通るように切替える。
【００９５】
更に送信電力制御部５０４は、送信電力が前記目標値ＶＯＮ未満から目標値ＶＯＮ以上に変動した場合には、前記バイパス切替えスイッチ５０５をＯＦＦ／ＯＮ制御して、無線信号が送信アンプ５０６によって増幅処理されるように切替える。
ここでバイパス切替え制御発生の際には、無線信号の振幅及び位相が不連続に変動する。
【００９６】
一方受信機において、電力推定部２３は前記送信電力制御コマンド生成部２２から出力された送信電力制御コマンドを入力し、当該送信電力制御コマンドの履歴と、前記送信電力の規定値Ｖｄｅｆと制御ステップΔＶとに基づいて、前記図７に示された送信機側の送信電力を推定する。
【００９７】
切替え制御部７は、電力推定部２３の推定結果を逐次参照し、送信機から通知されている前記送信電力の目標値ＶＯＮ、ＶＯＦＦと比較する。
その結果、送信電力の推定値が目標値ＶＯＦＦ以上から目標値ＶＯＦＦ未満に変動した場合には、送信機側においてバイパス切替え制御（ＯＮ／ＯＦＦ制御）が発生すると推定し、入力切替えスイッチ３、出力切替えスイッチ５、及びＳＩＲ切替えスイッチ２１をベースバンド復調部４ｂに切替え制御する。
【００９８】
一方、前記送信電力の推定値が目標値ＶＯＮ未満から目標値ＶＯＮ以上に変動した場合には、送信機側においてバイパス切替え制御（ＯＦＦ／ＯＮ制御）が発生すると推定し、入力切替えスイッチ３、出力切替えスイッチ５、及びＳＩＲ切替えスイッチ２１をベースバンド復調部４ａに切替え制御する。
【００９９】
以上の通り本実施の形態３の移動体通信システムでは、受信機において送信電力制御コマンドを基に送信機側の送信電力を推定し、その推定結果に基づいてバイパス切替え制御の発生を推定して複数のベースバンド復調部を切替え、それぞれ対応するベースバンド復調部で受信信号の復調処理を行うような構成としたことにより、バイパス切替え制御により受信信号の振幅及び位相が不連続に変動する場合であっても、受信機の復調性能の劣化を低減することができる。
【０１００】
実施の形態４．
前記実施の形態１では、受信機に複数のベースバンド復調部を備え、バイパス切替えタイミングに基づいて当該複数のベースバンド復調部を切替えて用いたが、本実施の形態４ではベースバンド復調部においてバイパス切り替えタイミングを考慮して復調処理を行う。
なお、本実施の形態４において前記実施の形態１と同様の構成については、同一の符号を付して説明を省略する。
【０１０１】
図８は本実施の形態４の移動体通信システムにおける受信機の構成図である。図８において４はベースバンド復調部である。
【０１０２】
また図９は、前記ベースバンド復調部の構成図である。図９において３１はサーチ部３０から割当られた所定数のパスについて、それぞれ別個に分離復調処理を行うフィンガ部、３２は受信信号に多重化されたデータチャネルについて逆拡散処理を行うデータチャネル逆拡散部、３３は制御チャネルについて逆拡散処理を行う制御チャネル逆拡散部、３４は制御チャネルからパイロット系列を抽出するパイロット信号抽出部、３５は抽出されたパイロット系列に基づいて伝送路特性を推定する伝送路推定部、３６は伝送路推定結果を複数スロットに渡って平均化し当該パスの位相偏差を算出する推定結果平均化部、３８は前記位相偏差に基づいてデータチャネルの位相偏差を補正する位相補正部、３９は各フィンガ部３１から出力された位相補正済みのデータチャネルを合成して復調信号を出力するＲＡＫＥ合成部、３７は切替え制御部７からの指示に従い伝送路推定結果の平均化区間の切替えを行うスロット平均化区間切替え部である。
【０１０３】
なお、複数のフィンガ部３１はそれぞれ同一の構成を有し、サーチ部３０からのパス割当情報に従ってそれぞれ同様の信号処理を行うため、以下では一つのフィンガ部３１について説明し、その他のフィンガ部については説明を省略する。
【０１０４】
上記の通り構成される本実施の形態４の受信機における復調処理について説明する。
まずサーチ部３０は、受信信号を入力して所定数の有効パスを検出し、各有効パスの遅延量を含むパス割当情報を各フィンガ部３１に通知して、各フィンガ部３１に対するパス割当を行う。
【０１０５】
制御チャネル逆拡散部３３は、サーチ部３０から当該フィンガ部３１に通知されたパス割当情報に基づき、受信信号を逆拡散処理して制御チャネル信号を出力する。
【０１０６】
パイロット信号抽出部３４は前記制御チャネル信号からパイロット系列（前記図３を参照のこと）を抽出する。伝送路推定部３５は、各スロット毎に抽出されたパイロット系列を予め保存された当該パイロット系列の雛型とを比較して、当該パスの伝送路特性を推定する。
【０１０７】
推定結果平均部３６は、予め設定された推定結果平均化区間（例えば８スロット長等）に渡って、前記伝送路特性を各スロット毎に移動平均処理し、伝送路特性の瞬間的変動成分を除去する。
【０１０８】
位相補正部３８は、平均化処理後の伝送路特性に基づいて当該パスの受信信号位相偏差を特定し、データチャネル逆拡散部３２によって別途逆拡散処理済みのデータチャネル信号を入力して前記特定された位相偏差を補正する。
【０１０９】
推定結果平均部３６における推定結果平均化区間内に、送信機側においてバイパス切り替え制御が発生すると、受信信号の振幅と位相が不連続に変動する。従ってバイパス切り替え制御発生後は、バイパス切替え制御発生前の受信信号の影響を排除して伝送路特性の移動平均化処理を行ったほうが、位相偏差の推定精度を高めることができる。
【０１１０】
そこで、スロット平均区間切替え部３７は切替え制御部７からバイパス切替えタイミングの到来を通知されると、当該タイミングまでに前記推定結果平均部３６に保持されていた移動平均値を破棄させる。
推定結果平均部３６は、移動平均値を破棄した後にバイパス切替えタイミング後の伝送路特性について移動平均処理を再開する。
【０１１１】
各フィンガ部３１は、位相偏差補正処理済みのデータチャネル信号を出力する。ＲＡＫＥ合成部３９は各データチャネル信号を合成処理して復調処理済みの受信信号を出力する。
【０１１２】
以上の通り本実施の形態４の移動体通信システムでは、受信機のベースバンド復調部において、バイパス切替えタイミングに基づいて伝送路特性の移動平均処理を初期化するような構成としたことにより、バイパス切替え制御により受信信号の振幅及び位相が不連続に変動する場合であっても、各パスの位相偏差を精度良く推定して補正処理し、受信機の復調性能の劣化を低減することができる。
【０１１３】
実施の形態５．
前記実施の形態４では、ベースバンド復調部のフィンガ部においてバイパス切替えタイミングに基づき伝送路特性の移動平均化処理を初期化したが、本実施の形態５では、ベースバンド復調部のサーチ部において受信信号の同相加算処理及び平均処理を初期化する。
なお、本実施の形態５において前記実施の形態４と同様の構成については、同一の符号を付して説明を省略する。
【０１１４】
図１０は、本実施の形態５における受信機のベースバンド復調部４の構成図である。図４において、４０は受信信号から所望の拡散変調成分のみを抽出するマッチドフィルタ、４１は所定のスロット数についてマッチドフィルタの出力信号を同相加算して平均化済みの遅延プロファイルを算出する平均処理部、４５は遅延プロファイルから所定電力値以上のピーク電力値を検出し各フィンガ部に割り当てる有効パスを選択するパス検出部である。
【０１１５】
上記の通り構成される実施の形態５のベースバンド復調部４の動作について説明する。
まずマッチドフィルタ４０は、受信信号から所定の拡散符号で変調処理された信号成分のみを抽出して出力する。
【０１１６】
平均処理部４１には所定の同相加算スロット数（例えば４スロット等）が設定されており、前期マッチドフィルタ４０の出力信号を当該同相スロット数に渡り順次同相加算して同相加算スロット数で平均化する。平均化処理済みの受信信号は電力値に変換され、受信信号の遅延波到来状況を特定するための遅延プロファイルが算出される。
【０１１７】
平均処理部４１における同相加算スロット区間内に、送信機側においてバイパス切り替え制御が発生すると、受信信号の振幅と位相が不連続に変動する。従ってバイパス切り替え制御発生後は、バイパス切替え制御発生前の受信信号の影響を排除して前期平均処理を行ったほうが、精度の高い遅延プロファイルを得ることができる。
【０１１８】
そこで、スロット平均区間切替え部３７は切替え制御部７からバイパス切替えタイミングの到来を通知されると、当該タイミングまでに前記平均処理部４１に保持されていたマッチドフィルタ４０の出力信号及び遅延プロファイルを破棄させる。
平均処理部４１は、バイパス切替えタイミング前のマッチドフィルタ４０の出力信号及び遅延プロファイルを破棄した後に、バイパス切替えタイミング後のマッチドフィルタ４０の出力信号を平均処理し、遅延プロファイルを算出する。
【０１１９】
パス検出部４５は、前記遅延プロファイルのうち電力値が所定しきい値以上のピーク電力値を検出し、ピーク電力値の大きい順に所定数のピーク電力値を有効パスとして特定する。パス検出部４５は、各有効パスを複数のフィンガ部３１にそれぞれ割り当て、各有効パスを特定する遅延量をパス割当情報として対応するフィンガ部３１に通知する。
【０１２０】
以上の通り本実施の形態５の移動体通信システムでは、ベースバンド復調部のサーチ部において、バイパス切替えタイミングに基づいてマッチドフィルタの出力信号の同相加算処理及び平均処理を初期化するような構成としたことにより、バイパス切替え制御により受信信号の振幅及び位相が不連続に変動する場合であっても、精度の高い遅延プロファイルを算出し、受信機の復調性能の劣化を低減することができる。
【０１２１】
なお本実施の形態５では、サーチ部においてバイパス切替えタイミングに基づいてマッチドフィルタの出力信号の同相加算処理を初期化したが、これはこのような構成に限定されるものではなく、前記実施の形態４におけるフィンガ部の伝送路特性の移動平均化処理の初期化と、本実施の形態５のサーチ部におけるサーチ部のマッチドフィルタの出力信号の同相加算処理を初期化とを、並行して行うような構成であってもよい。
【０１２２】
実施の形態６．
前記実施の形態４では、受信機のベースバンド復調部において、バイパス切替えタイミングに基づいて伝送路特性の移動平均処理を初期化したが、本実施の形態６の移動体通信システムでは、送信機においてスロット内の任意のタイミングでバイパス切替え制御が発生し、受信機はバイパス切替えタイミングに基づいてパイロット抽出範囲を制御し伝送路特性を推定する。
なお、本実施の形態６において前記実施の形態４と同様の構成については、同一の符号を付して説明を省略する。
【０１２３】
図１１は本実施の形態６の受信機におけるベースバンド復調部の構成図である。図１１において４７はバイパス切替えタイミングに基づいてパイロット抽出範囲を制御するパイロット抽出制御部である。
【０１２４】
また、図１２はパイロット系列の途中でバイパス切り替え制御が発生した場合における、無線信号の振幅及び位相の変動の様子を示した模式図である。
【０１２５】
図１２に示す通り、制御チャネルの第２シンボルにおいてバイパス切替えが発生すると決定された場合には、送信機の送信電力制御部５０４は当該バイパス切替えタイミング（例えば第４スロットの第２シンボル）を特定するタイミング制御情報を生成し前記ベースバンド変調部５０１に出力する。
【０１２６】
当該タイミング制御情報は、ベースバンド変調部５０１によって前記符号化済みの送信信号に挿入され変調処理された後に、送信ＩＦ／ＲＦ信号処理部によって無線信号に変換されて、受信機に対して無線伝送される。
【０１２７】
受信機において切替え制御部７は、切替えタイミング信号抽出部６によって抽出された前記タイミング制御信号を入力し、当該タイミングが到来した際にパイロット抽出部４７に対してパイロット抽出範囲の切替えを指示する。
【０１２８】
パイロット抽出制御部４７は、予め保存された制御チャネルのスロットフォーマットと、タイミング制御信号によって特定されるバイパス切替えタイミングとを比較して、当該バイパス切替えタイミングがパイロット系列のフィールド（図１２の例では第１〜６シンボル）に該当するか否かを判定する。
【０１２９】
その結果、バイパス切替えタイミングがパイロット系列のフィールドに該当する場合には、当該バイパス切替えタイミング以前のパイロット系列部分（図１２の例では第１〜２シンボル）を「無効パイロット系列部分」、当該バイパス切替えタイミングより後に受信されるパイロット系列部分（図１２の例では第３〜６シンボル）を「有効パイロット系列部分」と特定する。
【０１３０】
パイロット抽出制御部４７は、バイパス切替えタイミングが含まれるスロットの受信開始の時点で、有効パイロット系列部分（第３〜６シンボル）を特定する抽出制御情報を、パイロット抽出部３４及び伝送路推定部３５に対して出力する。
【０１３１】
バイパス切替えタイミングが含まれるスロットの受信時において、パイロット信号抽出部３４は、前記抽出制御情報に従い前記有効パイロット系列部分のみを抽出する。
【０１３２】
また、伝送路推定部３５は、前記抽出制御情報に従い前記有効パイロット系列部分のみに基づいて当該パスに関する伝送路特性推定処理を行う。
【０１３３】
一方、バイパス切替えタイミングがパイロット系列のフィールドに該当しない場合には、パイロット系列受信後にバイパス切替えタイミングが到来するものと判断して、該当するスロットについて全パイロット系列（図１２の例では第１〜６シンボル）を用いてパイロット系列の抽出及び伝送路特性の推定処理を行うよう、パイロット抽出部３４及び伝送路推定部３５に対して指示する。
【０１３４】
以上の通り本実施の形態６の移動体通信システムでは、受信機のフィンガ部はバイパス切替えタイミングに基づいてパイロット抽出範囲を制御して伝送路特性を推定するような構成としたことにより、送信機においてスロット内の任意のタイミングでバイパス切替え制御が発生し、バイパス切替え制御により受信信号の振幅及び位相が不連続に変動する場合であっても、バイパス切替えタイミング後の伝送路特性を応答性良く算出することができ、受信機の復調性能の劣化を低減することができる。
【０１３５】
なお本実施の形態６では、フィンガ部においてバイパス切替えタイミングに基づいてパイロット系列の抽出範囲を制御して伝送路特性を推定したが、これはこのような構成に限定されるものではなく、前記実施の形態４におけるフィンガ部の伝送路特性の移動平均化処理の初期化と、本実施の形態６のパイロット系列の抽出範囲の制御とを、並行して行うような構成であってもよい。
また、前記実施の形態５におけるサーチ部の受信信号の同相加算処理及び平均処理の初期化と、本実施の形態６のパイロット系列の抽出範囲の制御とを、並行して行うような構成であってもよい。
【０１３６】
実施の形態７．
前記実施の形態６では、受信機のフィンガ部はバイパス切替えタイミングに基づいてパイロット抽出範囲を制御して伝送路特性を推定したが、本実施の形態７では、バイパス切替えタイミングに対応するデータチャネルの受信シンボルを破棄し、その代わりにダミーデータを装填して、データチャネル復号部で誤り訂正処理を行う。
なお、本実施の形態７において前記実施の形態６と同様の構成については、同一の符号を付して説明を省略する。
【０１３７】
図１３は、本実施の形態７の移動体通信システムの受信機の構成図である。図１３において、４８は所定のダミーデータを生成するダミーデータ生成部、４９はバイパス切替えタイミングに基づいてデータチャネルの復調信号と前記ダミーデータとを切替えてデータチャネル復号部８に出力するデータ切替スイッチである。
【０１３８】
上記の通り構成される本実施の形態７の受信機の動作を説明する。
通信中の状態において、ベースバンド復調部４から出力されたデータチャネルの復調信号は、データ切替えスイッチ４９を介してデータチャネル復号部８に入力される。データチャネル復号部８は、当該復調信号について復号処理を行って復号信号に含まれる誤りを訂正して、復号処理済み受信信号を出力する。
【０１３９】
送信機側においてタイミング切替え制御の要求が発生すると、送信機の送信電力制御部５０４はタイミング制御信号を生成して送出する。
【０１４０】
受信機において切替えタイミング信号抽出部６は、タイミング制御信号を抽出し、切替え制御部７に通知する。
切替え制御部７は、予め保存されたスロットフォーマットとタイミング制御信号によって特定されるバイパス切替えタイミングとを比較し、データチャネルの復調信号のうち、バイパス切替えタイミングに該当するシンボルを「無効シンボル」として特定する。
【０１４１】
例えば、前述の図１２に示す通りバイパス切替えタイミングが制御チャネルの第２シンボルである場合には、切替え制御部７は当該制御チャネルの第２シンボルと同時点で受信される、データチャネルの第２〜３シンボル（図１２中網掛けで明示）を無効シンボルとして特定する。
【０１４２】
当該バイパス切替えタイミングが到来すると、切替え制御部７はデータ切替えスイッチ４９をダミーデータ生成部４８側に切替える。
ダミーデータ生成部は、例えば「オール０」等という所定のダミーデータを出力する。データ切替えスイッチ４９は、前記無効シンボルの期間（データチャネルの第２〜３シンボル）だけダミーデータを出力する。
当該無効シンボルの期間が経過すると、切替え制御部７はデータ切替えスイッチ４９をベースバンド復調部４側に切替える。
【０１４３】
データチャネル復号部８は、無効シンボルがダミーデータに置き換えられたスロットデータ全体について誤り訂正処理を行って復号処理済みの受信信号を出力する。
【０１４４】
以上の通り本実施の形態７の移動体通信システムでは、バイパス切替えタイミングに対応するデータチャネルの無効シンボルを破棄してダミーデータを装填し、データチャネル復号部で誤り訂正処理を行うような構成としたことにより、スロット内の任意のタイミングでバイパス切替え制御が発生し、バイパス切替え制御により受信信号の振幅及び位相が不連続に変動する場合であっても、バイパス切替えタイミングで生じる復調誤りの影響を除去して復号及び誤り訂正処理することができ、受信機の復調性能の劣化を低減することができる。
【０１４５】
実施の形態８．
前記実施の形態１では、受信機において送信機側から通知されたタイミング制御信号に基づいて複数のベースバンド復調部を切替えて使用したが、本実施の形態８の移動体通信システムでは、送信機においてバイパス切替え制御の際に無線信号に生じる位相差を測定し、当該位相差を送信機で補正する。
なお、本実施の形態８において前記実施の形態１と同様の構成については同一の符号を付して説明を省略する。
【０１４６】
図１４は、本実施の形態１８の送信機の構成図である。図１４において、５５１は送信アンプ５０６使用時とバイパス経路５０７使用時の無線信号の位相差を検出する位相差測定部、５５４は無線信号の位相差に基づき送信信号の位相を補正する位相補正部である。
【０１４７】
上記の通り構成される、本実施の形態８の送信機の動作について説明する。
まず通信開始前の初期状態において、送信電力制御部５０４及び位相差測定部５５１はバイパス切替え制御に起因する無線信号の位相差を測定する。
【０１４８】
バイパス切替えスイッチ５０５を送信アンプ５０６側に設定するとともに、予め設定された送信信号のトレーニング信号を生成して送信ＩＦ／ＲＦ処理部に出力する。
送信ＩＦ信号処理部５０３は、当該トレーニング信号を周波数変換処理して無線信号を生成し、バイパス切替えスイッチ５０５を介して送信アンプ５０６に出力する。送信アンプ５０６は、当該無線信号を増幅処理する。
【０１４９】
送信電力制御部５０４は、位相差測定部５５１に送信アンプ５０６使用時の無線信号の位相φｂを測定させる。
【０１５０】
次に送信電力制御部５０４は、前記トレーニング信号の出力を継続したままバイパス切替えスイッチ５０５をバイパス経路５０７側に切替え、位相差測定部５５１に対しバイパス経路５０７使用時の無線信号の位相φａを測定するよう指示する。
【０１５１】
位相差測定部５５１は、前記測定済みの送信アンプ使用時の無線信号の位相φｂから、バイパス経路５０７使用時の位相φａを減算し、バイパス切替え制御に起因する位相差Δφを算出する。
【０１５２】
通信中の状態において、送信電力制御部５０４はバイパス切替えスイッチ５０５を切替えてバイパス切替え制御を行う。
【０１５３】
ここで送信電力制御部５０４は、バイパス切替えスイッチ５０５をバイパス経路５０７側に切替える際に、位相差補正部５５４に対して送信信号の位相補正を開始するよう指示する。
【０１５４】
位相補正部５５４は前記位相差Δφを参照し、当該位相差Δφだけベースバンド変調部５０４から出力された変調処理済みの送信信号を位相回転処理する。
【０１５５】
位相回転処理された送信信号は、Ｄ／Ａ５０２によりアナログ信号に変換され、送信ＩＦ／ＲＦ信号処理部により無線信号に変換された後、バイパス経路５０７を介して送信アンテナから出力される。
バイパス経路５０７から出力される無線信号は、前記位相差Δφが補正されているため、送信アンプ５０６により増幅処理された場合と同様に位相φｂとなる。
【０１５６】
一方、バイパス切替えスイッチ５０５を送信アンプ５０６側に切替える際には、送信電力制御部５０４は位相差補正部５５４に対して送信信号の位相補正を行わないよう指示し、位相補正部５５４は変調処理済みの送信信号を位相回転処理を停止する。この場合、送信アンプ５０６から出力される無線信号の位相はφｂとなる。
【０１５７】
以上の通り本実施の形態８の移動体通信システムでは、送信機においてバイパス切替え制御の際に無線信号に生じる位相差を測定し、当該位相差を送信機で補正するような構成としたことにより、バイパス切替え制御に起因する無線信号の位相の不連続な変動を抑圧して、受信機の復調性能の劣化を低減することができる。
【０１５８】
なお本実施の形態８において送信電力制御部５０４は、通信開始前の初期状態において所定のトレーニング系列を発生して位相差Δφの測定を指示したが、位相差Δφの測定は通信開始前の初期状態に限定されるものではなく、通信中やアプリケーション指示に基づく任意のタイミングで位相差Δφを測定してもよい。
【０１５９】
また送信電力制御部５０４は、所定のトレーニング系列を発生して位相差Δφを測定したが、これはこのような方法に限定されるものではなく、通信中にＤ／Ａ５０２から出力された変調処理済みの送信信号に基づいて位相差Δφを測定させる方法であってもよい。
【０１６０】
更に送信電力制御部５０４及び位相補正部５５４は、バイパス切替えスイッチ５０５がバイパス経路５０７側に接続されている際に位相補正処理を行い、バイパス切替えスイッチ５０５が送信アンプ５０６側に接続されている際には位相補正処理を停止したが、これとは逆にバイパス切替えスイッチ５０５がバイパス経路５０７側に接続されている際に位相補正処理を停止し、バイパス切替えスイッチ５０５が送信アンプ５０６側に接続されている際に位相補正処理を行うような方法であってもよい。
【０１６１】
実施の形態９．
前記実施の形態８では、送信機においてバイパス切替え制御の際に無線信号に生じる位相差を測定して補正したが、本実施の形態９の移動体通信システムは、バイパス切替え制御を行って無線信号を送信する端末と、当該無線信号を受信して復調処理を行う基地局とから構成され、基地局においてバイパス切替え制御に起因する位相差を測定してこれを送信側の端末に通知し、端末において位相補正を行う。
なお、本実施の形態９において前記実施の形態８と同様の構成については同一の符号を付して説明を省略する。
【０１６２】
図１５は本実施の形態９の移動体通信システムの端末及び基地局の構成図である。図１５の基地局６１において、５５２は位相差測定部５５１により測定された位相差Δφを特定する位相差情報を生成し端末６２宛の送信信号に多重化する位相差情報重畳部である
【０１６３】
また端末６２において、５５３は前記基地局６１からの受信信号から前記位相差情報を抽出する位相差情報抽出部である。
【０１６４】
上記の通り構成される本実施の形態９の移動体通信システムの動作について説明する。
【０１６５】
まず基地局６１と端末６２の通信開始時において、基地局６１の位相差測定部５５１はバイパス切替え制御に起因する無線信号の位相差を測定する。
端末６２の送信電力制御部５０４は、位相差測定開始に先立ち「位相差測定開始」を表す制御信号を生成する。当該制御信号は、ベースバンド変調部５０１において基地局６１宛の送信信号に挿入され、送信ＩＦ／ＲＦ信号処理部５０３により無線信号に変換された後、切替えスイッチ５０５を介して基地局６１に対して送信される。
【０１６６】
基地局６１においてベースバンド復調部４は、周波数変換処理後の受信信号から前記「位相差測定開始」を表す制御信号を抽出し、端末６２との間で位相差測定のための同期を確立する。
【０１６７】
当該移動体通信システムでは、送信アンプ５０６を使用してトレーニング信号を送信するための第１の位相測定時間と、バイパス経路５０７を使用してトレーニング信号を送信するための第２の位相測定時間とが予め決定されており、基地局６１及び端末６２は、当該第１及び第２の位相測定時間を記憶している。
【０１６８】
送信電力制御部５０４は、バイパス切替えスイッチ５０５を送信アンプ５０６側に設定するとともに、前記「位相差測定開始」の制御信号を送信後に予め設定された送信信号のトレーニング信号を生成して送信ＩＦ／ＲＦ処理部に出力する。送信ＩＦ信号処理部５０３は、当該トレーニング信号を周波数変換処理して無線信号を生成し、バイパス切替えスイッチ５０５を介して送信アンプ５０６に出力する。前記第１の位相測定時間に亘って、送信アンプ５０６は当該無線信号を増幅処理し、基地局６１に送信する。
【０１６９】
続けて送信電力制御部５０４は、バイパス切替えスイッチ５０５をバイパス経路５０７側に設定するとともに、前記第１の位相測定時間経過後に、前記第２の位相測定時間に亘って無線信号に変換済みのトレーニング信号を基地局６１に対して送信する。
【０１７０】
一方、基地局６１の位相差測定部５５１は、前記「位相差測定開始」の制御信号の受信後から前記第１の位相測定時間の間に、送信アンプ５０６使用時の受信信号の位相φｂを測定する。続けて位相差測定部５５１は、前記第１の位相測定時間経過後から前記第２の位相測定時間の間に、バイパス経路５０７使用時の受信信号の位相φａを測定する。
【０１７１】
位相差測定部５５１は、前記測定済みの送信アンプ使用時の無線信号の位相φｂから、バイパス経路５０７使用時の位相φａを減算し、バイパス切替え制御に起因する位相差Δφを算出する。
【０１７２】
位相差情報重畳部５５２は測定済みの位相差Δφを参照し、当該位相差Δφを特定する「測定位相差通知」の制御情報を生成する。
当該「測定位相差通知」の制御情報は、端末６２宛の送信信号に挿入され、無線信号に変換されて、端末６２に対して送信される。
【０１７３】
端末６２において位相差情報抽出部５５３は、基地局６１からの受信信号から前記「測定位相差通知」の制御情報を抽出し、位相差Δφを読出す。
【０１７４】
通信中の状態においてバイパス経路５０７使用時には、送信電力制御部５０４及び位相差補正部５５４は、前記位相差Δφに基づいて前記実施の形態８と同様に基地局６２宛の送信信号を位相補正処理する。
【０１７５】
一方、送信アンプ使用時には、送信電力制御部５０４及び位相差補正部５５４は位相補正処理を行わない。
【０１７６】
以上の通り本実施の形態９の移動体通信システムでは、基地局においてバイパス切替え制御に起因する位相差を測定してこれを送信側の端末に通知し、端末において位相補正するような構成としたことにより、バイパス切替え制御に起因する無線信号の位相の不連続な変動を抑圧して、基地局の復調性能の劣化を低減することができる。
【０１７７】
なお、本実施の形態９では端末及び基地局において第１及び第２の位相測定時間を予め記憶しておき、端末から送信された「位相差測定開始」の制御信号で同期を確立して、前記位相測定時間内にバイパス切替え制御前後の位相差を測定するような構成としたが、「位相差測定開始」の制御信号を送信するのは基地局であってもよい。
また、第１及び第２の位相測定時間を予め記憶する代わりに、「第１位相測定開始」及び「第２位相測定開始」という２つの制御情報を送信して端末−基地局間の同期を確立し、バイパス切替え制御前後の位相差を測定するような方法であってもよい。
【０１７８】
また送信電力制御部５０４及び位相補正部５５４は、バイパス切替えスイッチ５０５がバイパス経路５０７側に接続されている際に位相補正処理を行い、バイパス切替えスイッチ５０５が送信アンプ５０６側に接続されている際には位相補正処理を停止したが、これとは逆にバイパス切替えスイッチ５０５がバイパス経路５０７側に接続されている際に位相補正処理を停止し、バイパス切替えスイッチ５０５が送信アンプ５０６側に接続されている際に位相補正処理を行うような方法であってもよい。
【０１７９】
更に前記実施の形態では、変復調方式にＣＤＭＡ方式が採用されている場合について説明したが、変復調方式はこれに限定されるものではなく、他の変復調方式が適用された移動体通信システムに前記実施の形態に開示されたバイパス切替え制御を適用しても、同様の効果を得ることは当然可能である。
【０１８０】
【発明の効果】
以上のように、本発明によれば、受信機において複数の復調手段を備え、送信機から通知されたタイミング制御情報に基づいて、受信信号の復調処理を行う復調手段を切替えるような構成としたことにより、バイパス切替え制御により受信信号の振幅及び位相が不連続に変動する場合であっても、受信機の復調性能の劣化を低減することができる、といった効果を奏する。
【０１８１】
また、受信信号に基づいてバイパス切替え制御の発生を検出し、当該判定結果に基づいて複数のベースバンド復調部を切替え、受信信号の復調処理を行う復調手段を切替えるような構成としたことにより、バイパス切替え制御により受信信号の振幅及び位相が不連続に変動する場合であっても、受信機の復調性能の劣化を低減することができる、といった効果を奏する。
【０１８２】
また、受信信号品質に基づいて決定された送信電力制御コマンドの履歴に基づいて送信機側の送信電力を推定しバイパス切替え制御の発生を推定して、受信信号の復調処理を行う復調手段を切替えるような構成としたことにより、バイパス切替え制御により受信信号の振幅及び位相が不連続に変動する場合であっても、受信機の復調性能の劣化を低減することができる、といった効果を奏する。
【０１８３】
また、復調手段において、前記バイパス切替えタイミングに基づいて伝送路特性の移動平均処理を初期化するような構成としたことにより、バイパス切替え制御により受信信号の振幅及び位相が不連続に変動する場合であっても、各パスの位相偏差を精度良く推定して補正処理し、受信機の復調性能の劣化を低減することができる、といった効果を奏する。
【０１８４】
また、復調手段において、前記バイパス切替えタイミングに基づいてフィルタリング処理後の受信信号の平均処理を初期化するような構成としたことにより、バイパス切替え制御により受信信号の振幅及び位相が不連続に変動する場合であっても、精度の高い遅延プロファイルを算出し、受信機の復調性能の劣化を低減することができる、といった効果を奏する。
【０１８５】
また、バイパス切替えタイミングに基づいてパイロット抽出範囲を制御するパイロット抽出制御手段を備え、有効パイロット系列部分の抽出結果に従い伝送路特性を推定するような構成としたことにより、送信機においてスロット内の任意のタイミングでバイパス切替え制御が発生し、バイパス切替え制御により受信信号の振幅及び位相が不連続に変動する場合であっても、バイパス切替えタイミング後の伝送路特性を応答性良く算出することができ、受信機の復調性能の劣化を低減することができる、といった効果を奏する。
【０１８６】
また、バイパス切替えタイミングに対応する受信信号のシンボルを破棄してダミーデータを装填し、復号手段で誤り訂正処理を行うような構成としたことにより、スロット内の任意のタイミングでバイパス切替え制御が発生し、バイパス切替え制御により受信信号の振幅及び位相が不連続に変動する場合であっても、バイパス切替えタイミングで生じる復調誤りの影響を除去して復号及び誤り訂正処理することができ、受信機の復調性能の劣化を低減することができる、といった効果を奏する。
【０１８７】
また、送信機においてバイパス切替え制御の際に無線信号に生じる位相差を測定し、当該位相差を補正するような構成としたことにより、バイパス切替え制御に起因する無線信号の位相の不連続な変動を抑圧して、受信機の復調性能の劣化を低減することができる、といった効果を奏する。
【０１８８】
また、受信機においてバイパス切替え制御に起因する位相差を測定してこれを送信機に通知し、当該送信機において位相補正するような構成としたことにより、バイパス切替え制御に起因する無線信号の位相の不連続な変動を抑圧して、基地局の復調性能の劣化を低減することができる、といった効果を奏する。
【図面の簡単な説明】
【図１】本発明の実施の形態１の受信機の構成図である。
【図２】本発明の実施の形態１の送信機の構成図である。
【図３】本発明の実施の形態１の送信信号のフレームフォーマットの例を示した模式図である。
【図４】本発明の実施の形態２の受信機の構成図である。
【図５】本発明の実施の形態２の他の受信機の構成図である。
【図６】本発明の実施の形態３の受信機の構成図である。
【図７】本発明の実施の形態３の送信電力制御部における送信電力の目標値の更新の例を示した説明図である。
【図８】本発明の実施の形態４の受信機の構成図である。
【図９】本発明の実施の形態４のベースバンド復調部の構成図である。
【図１０】本発明の実施の形態５のベースバンド復調部の構成図である。
【図１１】本発明の実施の形態６のベースバンド復調部の構成図である。
【図１２】本発明の実施の形態６のパイロット系列の途中でバイパス切り替え制御が発生した場合における、無線信号の振幅及び位相の変動の様子を示した模式図である。
【図１３】本発明の実施の形態７の受信機の構成図である。
【図１４】本発明の実施の形態８の受信機の構成図である。
【図１５】本発明の実施の形態９の移動体通信システムの端末及び基地局の構成図である。
【図１６】従来の移動体通信システムの送信機及び受信機の構成図である。
【図１７】バイパス切り替え制御が発生した場合における無線信号の振幅及び位相の変動の様子を示した模式図である。
【符号の説明】
１　受信ＲＦ／ＩＦ信号処理部
２　Ａ／Ｄ
３　入力切替スイッチ
４、４ａ、４ｂ　ベースバンド復調部
５　出力切替スイッチ
６　切替えタイミング信号抽出部
７　切替え制御部
８　データチャネル復号部
１０ａ、１０ｂ　レベル変動検出部
１１　切替えフラグ信号抽出部
１５ａ、１５ｂ　位相変動検出部
２０ａ、２０ｂ　ＳＩＲ測定部
２１　ＳＩＲ切替スイッチ
２２　送信電力制御コマンド生成部
２３　電力推定部
３０　サーチ部
３１　フィンガ部
３２　データチャネル逆拡散部
３３　制御チャネル逆拡散部
３４　パイロット信号抽出部
３５　伝送路推定部
３６　推定結果平均部
３７　スロット平均区間切替え部
３８　位相補正部
３９　ＲＡＫＥ合成部
４０　マッチドフィルタ
４１　平均処理部
４５　パス検出部
４７　パイロット抽出制御部
４８　ダミーデータ生成部
４９　データ切替えスイッチ
６１　基地局
６２　端末
５００　データチャネル符号化部
５０１　ベースバンド変調部
５０２　Ｄ／Ａ
５０３　送信ＩＦ／ＲＦ信号処理部
５０４　送信電力制御部
５０５　バイパス切替えスイッチ
５０６　送信アンプ
５０７　バイパス経路
５５１　位相差測定部
５５２　位相差重畳部
５５３　位相差情報抽出部
５５４　位相補正部
【図１】
2004015078.tif 000003
【図２】
2004015078.tif 000004
【図３】
2004015078.tif 000005
【図４】
2004015078.tif 000006
【図５】
2004015078.tif 000007
【図６】
2004015078.tif 000008
【図７】
2004015078.tif 000009
【図８】
2004015078.tif 000010
【図９】
2004015078.tif 000011
【図１０】
2004015078.tif 000012
【図１１】
2004015078.tif 000013
【図１２】
2004015078.tif 000014
【図１３】
2004015078.tif 000015
【図１４】
2004015078.tif 000016
【図１５】
2004015078.tif 000017
【図１６】
2004015078.tif 000018
【図１７】
2004015078.tif 000019